(57)【要約】【課題】穿孔用ドリルで天井板や壁面板等に配線用の小径穴を開けるだけで発光モジュールを容易に設置できる照明装置を提供する。【解決手段】天井板と対向する平面１１を有するベースプレート１０と、印刷配線基板上に複数の発光ダイオード１０２が設置された発光モジュール１００とを有し、ベースプレート１０は、発光モジュール１００を固定できるように室内側に突出させて設けられた基板固定部１２と、天井板の裏側から室内側に導かれる電源電力供給用の配線の外径よりも内径を大きくなるように設けられた配線用貫通穴と、ベースプレート１０を天井板に固定するビス６１の外径よりも内径が大きくなるように設けられたプレート固定用貫通穴とを有する。【選択図】図１
0003158892.tif 000002
【実用新案登録請求の範囲】
【請求項１】
天井板又は壁面板の室内側面と対向する平面を有するベースプレートと、
印刷配線基板上に複数の発光ダイオードが設置された板状の発光モジュールと
を少なくとも有し、
前記ベースプレートは、
前記発光モジュールを固定できるように室内側に突出させて複数箇所に設けられた基板固定部と、
天井板又は壁面板の裏側から室内側に導かれる電源電力供給用の配線が通過可能であるように、該配線の外径よりも内径を大きくなるように設けられた一箇所以上の配線用貫通穴と、
前記平面の複数箇所に、前記ベースプレートを天井板又は壁面板にビスで固定するために、ビスの外径よりも内径が大きくなるように設けられたプレート固定用貫通穴と
を有する
ことを特徴とする照明装置。
【請求項２】
前記基板固定部の突出された先端には、板状の前記発光モジュールをビスで固定するための基板固定用貫通穴が設けられる
ことを特徴とする請求項１に記載の照明装置。
【請求項３】
前記発光モジュールの板状の周囲を囲う形状のトリム部を有する
ことを特徴とする請求項１又は２に記載の照明装置。
【請求項４】
前記発光モジュールから発した波長の光を少なくとも一部は透過可能な透明材料で形成されるカバーを有し、
前記トリム部は、内周部の室内側に、前記カバーを取付け可能に形成される凹部又は溝部を有する
ことを特徴とする請求項３に記載の照明装置。
【請求項５】
前記ベースプレートは、前記トリム部を固定するためのトリム固定用切出部を有し、
前記トリム部には、前記トリム固定用切出部と係合する固定用突出部が設けられる
ことを特徴とする請求項３又は４に記載の照明装置。
【請求項６】
前記固定用突出部は、前記トリム固定用切出部と係合するための係合金具を、前記係合金具を固定するために前記トリム部に設けられる係合金具用取付穴にビスで固定されて形成される
ことを特徴とする請求項５に記載の照明装置。
【請求項７】
前記トリム部には、前記カバーを固定するためのカバー固定部が設けられる
ことを特徴とする請求項３〜６の何れか１項に記載の照明装置。
【請求項８】
前記カバー固定部は、前記カバーを固定するための固定金具を、前記固定金具を固定するために前記トリム部に設けられる固定金具用取付穴にビスで固定されて形成される
ことを特徴とする請求項７に記載の照明装置。
【請求項９】
前記ベースプレートと、前記発光モジュールは、円形である
ことを特徴とする請求項１〜８の何れか１項に記載の照明装置。
【考案の詳細な説明】
【技術分野】
【０００１】
本考案は、発光ダイオード等の発光素子を基板上に配置した発光モジュールを用いて室内の天井又は壁面に設置可能な照明装置に関する。
【背景技術】
【０００２】
日本国内における住宅用又は事務所用の照明としては、白熱電球よりも蛍光灯が主流である。蛍光灯には、丸形や電球型等の多数の種類があるが、事務所等の照明として最も普及しているのは直管型蛍光灯である。一般的に蛍光灯は、白熱灯よりも発光効率が高く寿命も長いため、電気料金と交換費用を含むトータルの維持費が安くなる利点を有している。
【０００３】
蛍光灯は白熱電球に対して消費電力と寿命の点で優れている長所を有しているが、廃棄された蛍光灯に残る水銀が環境を汚染する可能性がある。そのため、より寿命が長く環境負荷の少ない発光ダイオード（ＬＥＤ）を蛍光灯に代えて使用することが検討されている。例えば、複数のＬＥＤを実装した基板（発光モジュール）を内蔵させた円筒形で透明又は半透明なパイプの両端に直管型蛍光灯のソケット用の端子を設けた蛍光灯置換型ＬＥＤ照明装置が開示されている。（例えば、特許文献１参照）。
【０００４】
そのような従来の発光ダイオードを用いた発光モジュールの発熱については、発光ダイオードは一般的に効率が良いので、白熱電球と比べて、同じ照度を得る場合なら発熱は少なくできる。しかし、同じ照度を得る場合の蛍光灯と比べると、発光ダイオードは発熱量を削減できるとは一概に言えない。また、発熱について、発光ダイオードは、一般的に熱伝導率の低い樹脂パッケージに密封されて、熱伝導率の低い基板上に実装されるため、発光素子の周辺に熱が溜まりやすいという短所がある。そして、発光ダイオードが温度上昇した場合は、素子の寿命が縮まり、発光効率が低下する。そのため、発光ダイオードの放熱性を改善するための金属製の放熱板や放熱片を基板上や基板の中間に設置したり、基板自体をアルミニウム等の熱伝導率の良い金属導体性の薄板にしたり、銅のスルーホールやバンプやブロックを基板中に形成することが提案されている。
【０００５】
しかし、発光ダイオードを用いた従来の照明装置は、上記の熱を後側筐体や放熱部から外部に放出させる必要がある。従って、従来の照明装置は、天井裏に照明装置の後側筐体や放熱部を配置させ、天井裏に熱を放出させている（例えば、特許文献２、３参照）。
【０００６】
考案者は、上記した例に限られない温度上昇を抑える対策がとられた発光モジュールを、従来の蛍光灯に代えて使用することを提案している。考案者が提案している発光モジュールでは、例えば、周囲温度２７度の状況で定格電圧５０Ｈｚ、１００Ｖを印加して点灯した場合（消費電力３．１４｛Ｗ｝、全光束２３３｛Ｌｍ｝）の６０分後と１２０分後の温度が双方とも３７度であった（地方独立行政法人  東京都立産業技術研究センターに測定依頼：報告書番号１９依研光第４０５〜４０７号）。つまり、考案者が提案している発光モジュールは、室温が２７度の場合、通常の使用では３７度以上には上昇せず、電力も大幅に削減することができる。より具体的には、本発光モジュールは、長さ：約２５０ｍｍ×幅：約１８．５ｍｍ×厚さ：１．６ｍｍ（発光ダイオード込みで３．５ｍｍ）という寸法で、消費電力３．１４｛Ｗ｝にもかかわらず、１０｛Ｗ｝の蛍光灯に相当する光量を照射できる。蛍光灯に換算して４０｛Ｗ｝の光量が必要な場合には、本モジュールを４本、直列又は並列等に接続して用いればよく、その場合の消費電力は１２．５６｛Ｗ｝のみであり、省エネルギー化に多大な貢献が可能である。
【先行技術文献】
【特許文献】
【０００７】
【特許文献１】特開２００１−３５１４０２号公報
【特許文献２】特開２００９−１４０７１７号公報
【特許文献３】特開２００９−１９９９５９号公報
【考案の概要】
【考案が解決しようとする課題】
【０００８】
しかしながら、天井裏に照明装置の後側筐体や放熱部を配置させるためには、天井に、照明装置の後側筐体等が入る大きな開口部が必要である。天井に大きな開口部を設けるためには、穿孔用のドリルだけでは不十分でのこぎりやカッター等の工具が必要であった。また、天井に大きな開口部を設ける場合には、天井板の強度が減少する。通常、照明装置は天井板に支持させるので、天井板の強度が減少した場合には、地震等の発生時に照明装置の重量により天井板が壊れたり、照明装置が落下する可能性がある。また、天井に大きな開口部を設ける場合には、住宅等の室内の気密性が劣化するので、照明装置と天井との隙間を無くすために充填剤／接着材等を用いたり、パッキン等を用いる必要があり、作業工数や材料が増加して照明装置の設置コストが高くなる可能性があった。
【０００９】
また従来は、考案者が提案する消費電力と発熱量が少ない発光モジュールを利用して、天井又は壁面に容易に設置できる照明装置は存在していなかった。そのため、従来は、天井又は壁面用として従来の白熱電球又は蛍光灯用の照明装置の筐体を流用するか、上記した天井裏等に筐体の裏側の放熱部を突出させることができるような大きな開口部が必要な専用照明装置を用いなければならなかった。
【００１０】
そこで本考案は、上記の課題を解決するために、穿孔用ドリルで天井板や壁面板等に配線用の小径穴を開けるだけで取り付けでき、（天井板や壁面板の強度の減少を抑制でき、災害時にも壊れる危険性や落下の危険性が少なく、気密性確保のための工数及び材料が少なくて済み、）発光モジュールを照明用として天井や壁面等に容易に設置でき、簡易な構成の照明装置を提供することを目的とする。
【課題を解決するための手段】
【００１１】
上記課題を解決するために、本考案に係る照明装置は、（１）天井板又は壁面板の室内側面と対向する平面を有するベースプレートと、印刷配線基板上に複数の発光ダイオードが設置された板状の発光モジュールとを少なくとも有し、ベースプレートは、発光モジュールを固定できるように室内側に突出させて複数箇所に設けられた基板固定部と、天井板又は壁面板の裏側から室内側に導かれる電源電力供給用の配線が通過可能であるように、その配線の外径よりも内径を大きくなるように設けられた一箇所以上の配線用貫通穴と、平面の複数箇所に、ベースプレートを天井板又は壁面板にビスで固定するために、ビスの外径よりも内径が大きくなるように設けられたプレート固定用貫通穴とを有することを特徴とする。
【００１２】
本考案によれば、穿孔用ドリルで天井板や壁面板等に配線用の小径穴を開けるだけで取り付けでき、板の強度の減少を抑制でき、災害時にも壊れる危険性や落下の危険性が少なく、気密性確保のための工数及び材料が少なくて済み、発光モジュールを照明用として天井や壁面等に容易に設置でき、簡易な構成の照明装置を提供することができる。
【００１３】
（２）好ましくは、基板固定部の突出された先端には、板状の発光モジュールをビスで固定するための基板固定用貫通穴が設けられるようにしてもよい。
本考案によれば、発光モジュールをビスにより、基板固定部に容易に固定することができる。
【００１４】
（３）好ましくは、発光モジュールの板状の周囲を囲う形状のトリム部を有するようにしてもよい。
本考案によれば、トリム部によりベースプレートや発光モジュールの周囲の端部を覆うので、発光モジュールの背面配線部に塵埃等の浸入が無くなり、漏電等を防ぐことができ、また、ベースプレートや発光モジュールの周囲の端部が見えなくなることから、照明装置の外観を良好にすることができる。
【００１５】
（４）好ましくは、発光モジュールから発した波長の光を少なくとも一部は透過可能な透明材料で形成されるカバーを有し、トリム部は、内周部の室内側に、カバーを取付け可能に形成される凹部又は溝部を有するようにしてもよい。
本考案によれば、発光モジュールの発光面側に光が透過可能なカバーを設置できるので、照明装置内に塵埃等の浸入が無くなり、漏電等を防ぐことができ、また、発光モジュールの基板面や発光ダイオードが直接に見えにくくなることから、照明装置の外観を良好にすることができる。
【００１６】
（５）好ましくは、ベースプレートは、トリム部を固定するためのトリム固定用切出部を有し、トリム部には、トリム固定用切出部と係合する固定用突出部が設けられるようにしてもよい。
本考案によれば、トリム部の固定用突出部をベースプレートのトリム固定用切出部に係合させることで、トリム部をベースプレートに容易に取り付けすることができる。
【００１７】
（６）好ましくは、固定用突出部は、トリム固定用切出部と係合するための係合金具を、係合金具を固定するためにトリム部に設けられる係合金具用取付穴にビスで固定されて形成されるようにしてもよい。
本考案によれば、固定用突出部を別体の係合金具としてトリム部の係合金具用取付穴にビスで止めることで、トリム部の形成を容易にすることができ、また、固定用突出部の破損等が発生した場合の取り替え処理を容易にすることができる。
【００１８】
（７）好ましくは、トリム部には、カバーを固定するためのカバー固定部が設けられるようにしてもよい。
本考案によれば、カバーをトリム部の凹部又は溝部に収まるように配置した後に、カバー固定部でカバーを凹部又は溝部との間に挟むようにして固定することで、カバーをトリム部に容易に取り付けすることができる。
【００１９】
（８）好ましくは、カバー固定部は、カバーを固定するための固定金具を、固定金具を固定するために前記トリム部に設けられる固定金具用取付穴にビスで固定されて形成されるようにしてもよい。
本考案によれば、カバー固定部を別体の固定金具としてトリム部の固定金具用取付穴にビスで止めることで、トリム部の形成を容易にすることができ、また、カバーの汚濁や破損等が発生した場合の取り替え処理を容易にすることができる。
【００２０】
（９）好ましくは、ベースプレートと、発光モジュールは、円形であるようにしてもよい。
本考案によれば、ベースプレート、発光モジュール、カバーを円形にし、トリム部をリング形にすることで、取り付けが容易なダウンライトやスポットライトを提供することができ、カバーにレンズ機能又は拡散板等の光学的な付加機能を付与することを容易にできる。
【考案の効果】
【００２１】
本考案の照明装置によれば、穿孔用ドリルで天井板や壁面板等に配線用の小径穴を開けるだけで取り付けでき、天井板や壁面板の強度の減少を抑制でき、（災害時にも壊れる危険性や落下の危険性が少なく、気密性確保のための工数及び材料が少なくて済み、）発光モジュールを照明用として天井や壁面等に容易に設置でき、簡易な構成の照明装置を提供するができる。
【図面の簡単な説明】
【００２２】
【図１】本考案の一実施形態の照明装置の外観を示す下面図及び断面図である。
【図２】図１の照明装置におけるベースプレートを示す下面図と断面図である。
【図３】図１の照明装置における発光モジュールを示す下面図と断面図である。
【図４】図１の照明装置におけるトリム部を示す下面図と断面図である。
【図５】図１の照明装置のトリム部に用いられる固定金具及び係合金具を示す上面図と側面図である。
【考案を実施するための形態】
【００２３】
以下、本考案の実施の形態について、以下に図面を用いながら詳細に説明する。
＜実施形態＞
図１〜図５を用いて本発明の位置実施形態について説明する。
本実施形態の照明装置は、発光素子である発光ダイオードを用いた発光モジュール１００を含んでいる。本実施形態の照明装置は、室内の天井又は壁面に、電源供給の配線用の最小限の穴を開けるだけで設置可能に形成される。
【００２４】
ベースプレート１０は、外形が円形であり、天井板又は壁面板の室内側面と対向する平面１１を有し、発光モジュール１００の基板を固定するための基板固定部１２と、トリム部２０を固定するためのトリム固定用切出部１４と、発光モジュール１００への電源電力供給線を通すための配線用貫通穴１８と、ベースプレート１０を固定するためのネジ６１を通す固定用貫通穴１５、１６、１７とを有する。ベースプレート１０は、材料として、例えば、金属板等で形成することができる。なお、図１では、ネジ６１が１個のみ示されているが、ネジ６１は、固定用貫通穴１５と、固定用貫通穴１６又は１７の何れかの２箇所に用いられるようにしても良い。
【００２５】
基板固定部１２は、発光モジュール１００を固定できるように室内側に突出させて複数箇所に設けられる。ベースプレート１０が金属板の場合は、型抜きを含む金属加工により形成することができる。基板固定用貫通穴１３は、基板固定部１２の突出された先端に、板状の発光モジュール１００をビス７１、７２をねじり込んで固定するために、ビス７１、７２直径に適応させて設けられる。
【００２６】
トリム固定用切出部１４は、トリム部２０を固定するためにベースプレート１０の縁端部の一部を室内側に切り出すように形成される。これもベースプレート１０が金属板の場合は、型抜きを含む金属加工により形成することができる。
【００２７】
プレート固定用貫通穴１５、１６、１７は、平面１１の複数箇所に、ベースプレート１０を天井板又は壁面板にビス６１をねじり込んで固定するために、ビス６１の外径よりも内径が大きくなるように設けられる。
【００２８】
配線用貫通穴１８は、天井板又は壁面板の裏側から室内側に導かれる電源電力供給用の配線が通過可能であるように、その配線の外径よりも内径を大きくなるように設けられる。配線用貫通穴１８は、配線の数に対応させて複数箇所に設けてもよい。
【００２９】
トリム部２０は、発光モジュール１００の板状の周囲を囲う形状であり、内周部の室内側に、カバー３０を嵌め込む凹部又溝部２２を有する。トリム部２０は、材料として、例えば、プラスチックを用いて成形したり、金属板を用いて金属加工で形成することができる。凹部又溝部２２は、カバー３０を取付け可能に形成される。また、トリム部２０の内周側の面には、係合金具４０を固定するための固定用穴２４と、固定金具５１を固定するための固定金具用取付穴２５が設けられる。これにより本実施形態の照明装置は、トリム部２０によりベースプレート１０や発光モジュール１００の周囲の端部を覆うので、発光モジュール１００の背面配線部に塵埃等の浸入が無くなり、漏電等を防ぐことができる。また、ベースプレート１０や発光モジュール１００の周囲の端部が見えなくなることから、照明装置の外観を良好にすることができる。
【００３０】
カバー３０は、発光モジュール１００から発した波長の光の少なくとも一部を透過可能な透明材料で形成される。波長が可視光であれば、材料としてアクリルやガラスを用いることができる。このように本実施形態の照明装置は、発光モジュール１００の発光面側に光が透過可能なカバー３０を設置できるので、照明装置内に塵埃等の浸入が無くなり、漏電等を防ぐことができ、また、発光モジュール１００の基板面や発光ダイオードが直接に見えにくくなることから、照明装置の外観を良好にすることができる。
【００３１】
固定用突出部は、トリム部２０に設けられ、ベースプレート１０の縁端部に設けられたトリム固定用切出部１４と係合する。固定用突出部は、トリム固定用切出部１４と係合するための係合金具４０と、その係合金具４０を固定するためにトリム部２０に設けられる係合金具用取付穴２４にねじり込み可能なビス８１で構成される。従って、固定用突出部は、係合金具４０がビス８１で係合金具用取付穴２４に固定されることで形成される。係合金具４０には、固定用穴４４、４６が形成される。その固定用穴４４、４６をトリム部２０側に設けられた固定用穴２４の位置に合わせ、ネジ８１で固定される。
【００３２】
このように本実施形態の照明装置は、トリム部２０の係合金具４０をベースプレート１０のトリム固定用切出部１４に係合させ、ビス８１で固定することで、トリム部２０をベースプレート１０に容易に取り付けすることができる。さらに本実施形態の照明装置は、固定用突出部を別体の係合金具４０としてトリム部２０の係合金具用取付穴２４にビス８１で止めることで、トリム部２０の形成を容易にすることができ、また、係合金具４０の破損等が発生した場合の取り替え処理を容易にすることができる。
【００３３】
カバー固定部は、カバー３０を固定するためにトリム部２０に設けられる。カバー固定部は、カバー３０を固定するための固定金具５１と、その固定金具５１を固定するためにトリム部２０に設けられる固定金具用取付穴２５にねじり込み可能なビス８２で構成される。カバー固定部５１は、固定金具５１がビス８２で固定金具用取付穴２５に固定されることで形成される。
【００３４】
このように本実施形態の照明装置は、カバー３０をトリム部２０の凹部又は溝部２２に収まるように配置した後に、固定金具５１でカバー３０を凹部又は溝部２２との間に挟むようにして固定することで、カバー３０をトリム部２０に容易に取り付けすることができる。さらに本実施形態の照明装置は、固定金具５１を別体の固定金具としてトリム部２０の固定金具用取付穴２５にビス８２で止めることで、トリム部２０の形成を容易にすることができ、また、カバー３０の汚濁や破損等が発生した場合の取り替え処理を容易にすることができる。
【００３５】
発光モジュール１００は、複数の発光ダイオードが印刷配線基板１０１上に配置されている。発光モジュール１００は、外径が円形であり、上記した「報告書番号１９依研光第４０５〜４０７号」の長方形の発光モジュールとは形状が異なるが、設計思想を同一として、消費電力と温度上昇が同等となるようにしたものであり、板状の印刷配線基板１０１上に複数の発光ダイオード１０２が設置される。
【００３６】
印刷配線基板１０１は、円形であり、表面１０１ａ又は裏面１０１ｂには、表面に配置された発光ダイオード１０２に電源電力を供給できるように、印刷配線パターンが形成されている。また、基板１０１上の表面１０１ａには複数個の照明用の発光ダイオード１０２が前後左右に等間隔で且つ複数列に配列されている。基板１０１の裏面１０１ｂには、電源電力の配線との接続用パターン等が形成されている。電源電力の配線との接続用パターンには、接続を容易にするために、接続用コネクタやリード線が接続されていても良い。発光ダイオード１０２の間隔は、発光量の仕様と放熱性能により規定される。なお、発光ダイオード１０２の配置パターンは図示した形態に限らない。
【００３７】
固定用穴１０６は、基板１０１をビス７１、７２を用いて、ベースプレート１０の基板固定部１２に固定される。ビス７１、７２は、基板固定部１２の先端の基板固定用貫通穴１３にねじり込まれて固定される。基板固定用貫通穴１３には予めネジ溝を設けておいても良いが、ビス７１、７２をタッピングネジとして、ネジ溝を形成しながら締め付けても良い。このように本実施形態の照明装置は、発光モジュール１００をビス７１及び７２により、基板固定部１２に容易に固定することができる。
【００３８】
上記のように本実施形態の照明装置は、考案者が提案する小電力で発熱の少ない発光モジュールを照明用として天井や壁面等に容易に設置でき、簡易な構成の照明装置を提供することができる。また、放熱用の背面やヒートシンク等を天井裏等に貫通させる必要がないので、天井板や壁面板等に電源電力を供給するための配線用の小径穴を、例えば穿孔用ドリルで開けるだけで取り付けることができる。
【００３９】
従って、例えば、天井板や壁板の材質が石膏ボード等のように比較的荷重に弱い材料であっても、本実施形態の照明装置であれば、強度の減少を抑制することができる。その結果、地震等の災害時にも照明装置の重量により天井や壁が壊れる危険性や落下の危険性を少なくすることができる。
【００４０】
また、本実施形態の照明装置は、天井板や壁面板等に配線用の小径穴を開けるのみで、さらに、ベースプレート１０の平面１１が天井面又は壁面の室内側と接して、ネジ６１により固定されるので、気密性を確保することができ、その気密性を得るための工数及び材料も少なくて済む。
【００４１】
また、本実施形態の照明装置は、ベースプレート１０、発光モジュール１００、カバー３０を円形にし、トリム部２０をリング形にすることで、取り付けが容易なダウンライトやスポットライトを提供することができ、カバー３０にレンズ機能又は拡散板等の光学的な付加機能を付与することが容易になる。
【００４２】
以上、本考案に係る照明装置がダウンライトタイプやスポットライトタイプの円形の場合の実施形態を用いて説明したが、本考案の技術的範囲は上記実施の形態に記載されたような天井に設置される円形の照明装置の範囲には限定されない。例えば、細長い形状として梁の上等に設けられて天井や壁を照らすタイプの照明装置にも適用することができ、さらに間接照明用の照明装置にも適用でき、物置や押し入れの内部灯、下駄箱の下の足下灯にも適用することができる。
【符号の説明】
【００４３】
１  照明装置、
１０  ベースプレート、
１１  平面、
１２  基板固定部、
１３  基板固定用貫通穴、
１４  トリム固定用切出部、
１５、１６、１７  プレート固定用貫通穴、
１８  配線用貫通穴、
２０  トリム部、
２２  凹部又溝部、
２４  固定用穴、
２５  固定金具用取付穴、
３０  カバー、
４０  係合金具、
４４、４６  固定用穴、
５１  固定金具、
８１  ビス、
８２  ビス、
１００  発光モジュール、
１０１  印刷配線基板、
１０２  発光ダイオード、
１０１ａ  表面、
１０１ｂ  裏面、
１０６  固定用穴。
【図１】
0003158892.tif 000003
【図２】
0003158892.tif 000004
【図３】
0003158892.tif 000005
【図４】
0003158892.tif 000006
【図５】
0003158892.tif 000007
【手続補正書】
【提出日】平成22年2月16日(2010.2.16)
【手続補正１】
【補正対象書類名】実用新案登録請求の範囲
【補正対象項目名】全文
【補正方法】変更
【補正の内容】
【実用新案登録請求の範囲】
【請求項１】
天井板又は壁面板の室内側面と対向する平面を有するベースプレートと、
印刷配線基板上に複数の発光ダイオードが設置された板状の発光モジュールと
を少なくとも有し、
前記ベースプレートは、
前記発光モジュールを固定できるように室内側に突出させて複数箇所に設けられた基板固定部と、
天井板又は壁面板の裏側から室内側に導かれる電源電力供給用の配線が通過可能であるように、該配線の外径よりも内径を大きくなるように設けられた一箇所以上の配線用貫通穴と、
前記平面の複数箇所に、前記ベースプレートを天井板又は壁面板にビスで固定するために、ビスの外径よりも内径が大きくなるように設けられたプレート固定用貫通穴と
を有する
ことを特徴とする照明装置。
【請求項２】
前記基板固定部の突出された先端には、板状の前記発光モジュールをビスで固定するための基板固定用貫通穴が設けられる
ことを特徴とする請求項１に記載の照明装置。
【請求項３】
前記発光モジュールの板状の周囲を囲う形状のトリム部を有する
ことを特徴とする請求項１又は２に記載の照明装置。
【請求項４】
前記発光モジュールから発した波長の光を少なくとも一部は透過可能な透明材料で形成されるカバーを有し、
前記トリム部は、内周部の室内側に、前記カバーを取付け可能に形成される凹部又は溝部を有する
ことを特徴とする請求項３に記載の照明装置。
【請求項５】
前記ベースプレートは、前記トリム部を固定するためのトリム固定用切出部を有し、
前記トリム部には、前記トリム固定用切出部と係合する固定用突出部が設けられる
ことを特徴とする請求項４に記載の照明装置。
【請求項６】
前記固定用突出部は、前記トリム固定用切出部と係合するための係合金具を、前記係合金具を固定するために前記トリム部に設けられる係合金具用取付穴にビスで固定されて形成される
ことを特徴とする請求項５に記載の照明装置。
【請求項７】
前記トリム部には、前記カバーを固定するためのカバー固定部が設けられる
ことを特徴とする請求項４〜６の何れか１項に記載の照明装置。
【請求項８】
前記カバー固定部は、前記カバーを固定するための固定金具を、前記固定金具を固定するために前記トリム部に設けられる固定金具用取付穴にビスで固定されて形成される
ことを特徴とする請求項７に記載の照明装置。
【請求項９】
前記ベースプレートと、前記発光モジュールは、円形である
ことを特徴とする請求項１〜８の何れか１項に記載の照明装置。